(57)【要約】【課題】伸縮自在網戸を適用するに際し利便性及び意匠性に優れた開口部装置を提供する。【解決手段】建物開口部の４辺に沿って設けられる枠体２と、枠体内に配置され、召し合わせ框１２、２１を有する複数の障子１０、２０と、枠体内のうち複数の障子の少なくとも一方の召し合わせ框１２と枠体２との間に配置される網戸３０とを備える開口部装置１であって、網戸は、枠体の縦枠に取り付けられる縦枠側縦框３２と、枠体内を見付方向に移動可能とされる可動縦框３３と、縦枠側縦框と可動縦框との間に配置され、一端が縦枠側縦框に他端が可動縦框に配置され、伸縮自在とされた網材３１とを有し、可動縦框及び召し合わせ框には、該可動縦框と該召し合わせ框とが接触した姿勢で互いに吸引可能に一対の磁石１６、３４が配置され、少なくとも召し合わせ框に配置される磁石１６は、該召し合わせ框の内側に隠蔽されて具備されることを特徴とする。【選択図】図３
2009030367.tif 000002
【特許請求の範囲】
【請求項１】
建物開口部の４辺に沿って設けられる枠体と、
前記枠体内に配置され、召し合わせ框を有する複数の障子と、
前記枠体内のうち前記複数の障子の少なくとも一方の前記召し合わせ框と前記枠体との間に配置される網戸と、を備える開口部装置であって、
前記網戸は、
前記枠体の縦枠に取り付けられる縦枠側縦框と、
前記枠体内を見付方向に移動可能とされる可動縦框と、
前記縦枠側縦框と前記可動縦框との間に配置され、一端が前記縦枠側縦框に他端が前記可動縦框に配置され、伸縮自在とされた網材と、を有し、
前記可動縦框及び前記召し合わせ框には、該可動縦框と該召し合わせ框とが接触した姿勢で互いに吸引可能に少なくとも一対の磁石が配置され、
少なくとも前記召し合わせ框に配置される前記磁石は、該召し合わせ框の内側に隠蔽されて具備されることを特徴とする開口部装置。
【請求項２】
前記召し合わせ框の前記磁石が取り付けられた部分における該召し合わせ框の板厚が薄く形成されていることを特徴とする請求項１に記載の開口部装置。
【発明の詳細な説明】
【技術分野】
【０００１】
本発明は、対向する一対の網戸の縦框の相対距離を変更することにより開閉ができる網戸（以下、「伸縮自在網戸」と記載することがある。）を備える開口部装置に関し、詳しくは、該伸縮自在網戸の適用に際し利便性、及び意匠性が向上された開口部装置に関する。
【背景技術】
【０００２】
従来において、開口部装置の障子の開放時に害虫が室内へ侵入することを防止するため、網戸が適用される。当該網戸は、矩形に形成された網材の４辺に縦横の框を取り付け、これを開口部装置の枠内に配置して引戸式にスライドさせることができるようしたものが一般的である。
【０００３】
ところが近年、網戸を使用していないときには網材が露出していない方が意匠性や汚れの観点から好ましい等の理由で、伸縮自在網戸が適用される場面が増えてきている。伸縮自在網戸は、網材を蛇腹状、又はロール等に巻き取り可能にすることにより、使用しない時にはコンパクトに箱内等に網材を収納し、必要な時に網材の一端を開口部に沿って移動させて伸展し、開口部に網材を張ることができる網戸である。
【０００４】
例えば特許文献１には、網戸の縦框の一方を開口部装置の縦枠に、他方を外障子の召し合わせ框や戸先框に取り付けることにより、外障子の開閉にリンクして開閉する伸縮自在網戸が開示されている。
【０００５】
【特許文献１】特開平９−１３８４３号公報
【発明の開示】
【発明が解決しようとする課題】
【０００６】
しかしながら、特許文献１に記載のような従来の伸縮自在網戸では、移動可能とされる縦框が直接召し合わせ框に固定されており、容易に着脱することができずに利用者に不便を与えている場合があった。また、着脱できる場合であっても障子の召し合わせ框に着脱のための部材が露出して意匠性の観点から改善すべきであった。
【０００７】
そこで本発明は、伸縮自在網戸を適用するに際し、利便性及び意匠性に優れた開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物開口部の４辺に沿って設けられる枠体（２）と、枠体内に配置され、召し合わせ框（１２、２１）を有する複数の障子（１０、２０）と、枠体内のうち複数の障子の少なくとも一方の召し合わせ框（１２）と枠体（２）との間に配置される網戸（３０）とを備える開口部装置（１）であって、網戸は、枠体の縦枠（４）に取り付けられる縦枠側縦框（３２）と、枠体内を見付方向に移動可能とされる可動縦框（３３）と、縦枠側縦框と可動縦框との間に配置され、一端が縦枠側縦框に他端が可動縦框に配置され、伸縮自在とされた網材（３１）とを有し、可動縦框及び召し合わせ框には、該可動縦框と該召し合わせ框とが接触した姿勢で互いに吸引可能に少なくとも一対の磁石（１６、３４）が配置され、少なくとも召し合わせ框に配置される磁石（１６）は、該召し合わせ框の内側に隠蔽されて具備されることを特徴とする開口部装置を提供することにより前記課題を解決する。
【００１０】
請求項２に記載の発明は、請求項１に記載の開口部装置（１）における召し合わせ框（１２）の磁石（１６）が取り付けられた部分における該召し合わせ框の板厚が薄く形成されている（１３ｂ）ことを特徴とする。
【発明の効果】
【００１１】
本発明によれば、伸縮自在網戸の可動縦框が磁石の吸引力で召し合わせ框に着脱されるので、着脱が容易であり、利便性を向上させることができる。また、召し合わせ框に配置される磁石は内側に隠蔽されて外観から認識することができないように形成されているので意匠性を向上させることも可能である。
【００１２】
また、磁石を取り付けた召し合わせ框において磁石を取り付けた部分の板厚を薄く形成したときには可動縦框との吸着力が増すのでさらに安定して固定することができる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。ただし本発明は当該実施形態に限定されるものではない。
【００１５】
図１は１つの実施形態に係る本発明の開口部装置１を模式的に示した室外視斜視図である。図１では見易さのため開口部装置１の枠体２（図２参照）を省略している。図２は開口部装置１の室外視正面図である。図２（ａ）は網戸３０が収納された姿勢、図２（ｂ）は網戸３０が途中まで伸展された姿勢、及び図２（ｃ）は網戸３０が最後まで伸展された姿勢をそれぞれ示している。さらに図３は図２（ｃ）にＢ−Ｂで示した線に沿った水平断面図である。図３では紙面下が室外側、紙面上が室内側である。以下、図１、図２及び適宜示す図を参照しつつ開口部装置１について説明する。
【００１６】
開口部装置１は、建物開口部の４辺の縁に沿って備えられる枠体２と、該枠体２の内側に配置される外引き違い障子（以下「外障子」と記載することがある。）１０と、枠体２の内側に配置される内引き違い障子（以下「内障子」と記載することがある。）２０と、枠体２の内側に配置される伸縮自在網戸（以下「網戸」と記載することがある。）３０とを備えている。
【００１７】
枠体２は、建物開口部の４辺に沿って設けられる長尺の型材である縦枠３、４、及び横枠５、６が枠状に組み合わされて形成されている。これら縦枠３、４及び横枠５、６は、通常の開口部装置に用いられる枠用部材を用いることができ、断面形状も特に限定されるものではない。
【００１８】
外障子１０は、ガラスにより形成された面材であるガラスパネル１１、及び外召し合わせ框１２を有している。外障子１０は枠体２に固定される型式のいわゆる固定障子なので、外召し合わせ框１２以外に框は設けられておらず、枠体２に直接固定されている。ここで、本実施形態のガラスパネル１１は図３に表れているように、複層ガラスであり２枚の平行に配置されたガラス面材が備えられている。外召し合わせ框１２は、ガラスパネル１１の縦縁の１つに沿って設けられ、召し合わせ部分となる縦框である。
【００１９】
図４に図３に表した外召し合わせ框１２の部分を拡大して示した。図４からもわかるように、外召し合わせ框１２はその断面において略矩形に形成された中空の片１３を有し、中空である内側が片１４、及び片１５により仕切られている。片１４、１５により形成された３つの空間のうちの１つは、開口を有しており、ここにガラスパネル１１の端部が挿入されて固定されている。
【００２０】
また、ガラスパネル１１の端部が挿入される空間の見付方向（図４の紙面左右方向）隣の空間のうち見付方向外側（図４の紙面左）の片１３ａには磁石１６が設けられている。該磁石１６は図４に示した断面を有しつつ外召し合わせ框１２の長手方向（紙面奥／手前方向）に延在している。ここで、図４に示したように片１３ａのうち磁石１６が配置される位置の片１３ｂは薄く形成されている。これにより磁石１６の吸引力を見付方向外側（図４の紙面左）で得ることができる。また、片１３ａの見付方向外側面１３ｃは平坦に形成されており、外側からでは磁石１６の存在を視認することはできない。これにより磁石があるにもかかわらず磁石がない召し合わせ框と外観上かわらないので意匠性の高い障子を有する開口部装置１を提供することができる。
【００２１】
内障子２０は、戸先框２１、内召し合わせ框２２、横框２３、２４（図１参照）、及びガラスパネル２５を有している。ここで内障子２０は枠体２の内側を見付方向に引戸式に移動させることができるいわゆる引戸である。戸先框２１はガラスパネル２５の戸先側縁に沿って配置される長尺部材である。内召し合わせ框２２は、ガラスパネル２５の戸先と対向する縦縁に沿って設けられ、召し合わせ部分となる縦框である。横框２３、２４はガラスパネル２５の上下縁に沿って配置される長尺の型材である。これら戸先框２１、内召し合わせ框２２、及び横框２３、２４は通常の開口部装置に用いられる框を適用することができ、その断面形状も特に限定されるものではない。本実施形態のガラスパネル２５は図３に表れているように、複層ガラスであり２枚の平行に配置されたガラス面材が備えられている。
【００２２】
網戸３０は、上記したように伸縮自在網戸であり、見付方向左右に伸縮することができる。図５に、図３に示した網戸３０を拡大した図を表した。網戸３０は、網材３１と縦枠側縦框３２と、可動縦框３３とを備えている。
網材３１は、蛇腹式に伸縮可能な網戸であり、その縦縁を縦枠側縦框３２及び可動縦框３３のそれぞれに取り付けられている。これにより適切に網材を伸縮させることができ伸縮自在網戸の特徴を有するものとなる。ここで本実施形態の網材３１は上記のように蛇腹式に伸縮可能である場合を示したが、伸縮可能であればその形態は限定されるものではない。これには例えばロールにより巻取り式に伸縮可能な網材を挙げることができる。
【００２３】
縦枠側縦框３２は、図５に示した断面を有して網材３１の縦縁に沿って紙面奥／手前方向に延在する長尺の部材である。縦枠側縦框３２はその断面において、開口３２ｅを有する略矩形の中空の片３２ａを備えている。さらに片３２ａの開口部３２ｅと対向する片からは網戸３０の見付方向内側に延在し、所定の間隔を有して平行に配置される片３２ｂ、３２ｃが立設されている。また、片３２ｂと片３２ｃとの間に存する片３２ａの一部には凹部３２ｄが形成され、ここに網材３１の端部が固定される。これにより網戸３０の収納時に網材３１が片３２ｂと片３２ｃとの間に収納される（図６参照）。
【００２４】
可動縦框３３は、図５に示した断面を有して網材３１の縦辺に沿って紙面奥／手前方向に延在する長尺の部材である。可動縦框３３はその断面において、略矩形の中空の片３３ａを有している。ここで片３３ａの見付方向外側（図５の紙面右側）には磁石３４が配置されている。磁石３４は可動縦框３３の長手方向（図５の紙面奥／手前方向）に延在する長尺の磁石である。当該磁石３４が後述するように外召し合わせ框１２の磁石１６と引き合うことにより網戸３０が安定して開口部に配置される。さらに片３３ａの磁石３４が配置された片と対向する片からは網戸３０の見付方向内側に延在し、所定の間隔を有して平行に配置される片３３ｂ、３３ｃが立設されている。また、片３３ｂと片３３ｃとの間に存する片３３ａの一部には凹部３３ｄが形成され、ここに網材３１の端部が固定される。これにより網戸３０の収納時に網材３１が片３３ｂと片３３ｃとの間に収納される（図６参照）。
【００２５】
また開口部装置１には図３に示したようにストッパー７が設けられてもよい。ストッパー７は、移動可能である内障子２０の移動を制限する部材で、横枠５の内障子２０の移動の軌道上に配置された部材である。これにより内障子２０が移動しすぎないようにすることができる。
【００２６】
さらに開口部装置１には通常の開口部装置に備えられる部材を備えてもよい。これには例えば施錠装置を挙げることができる。
【００２７】
以上のような開口部装置１の各構成は例えば以下のように配置される。すなわち、図２及び図３からわかるように建物開口部の縁に沿って枠体２が配置される。外障子１０は該枠体２の内側で室外側に取り付けられる。このときガラスパネル１１の左右端部の一方は縦枠３に取り付けられ、他方は外召し合わせ框１２に固定される。またガラスパネル１１の上下端部は横枠５、６に固定される。一方、内障子２０は枠体２の内側で外障子１０より室内側に見付方向に移動可能に配置される。
【００２８】
網戸３０は、枠体２の内側で、外障子１０の見付方向の略同一線上で外召し合わせ框１２と縦枠４との間に配置される。ここで縦枠側縦框３２は、開口３２ｅに連結具等を差し込むことにより縦枠４に取り付けられる。このとき縦枠側縦枠３２と枠体４とは着脱可能とされてもよい。これにより網戸３０自体を開口部装置からはずすことができ、利便性を向上させることができる。一方、可動縦框３３は枠体２内を見付方向に移動可能に配置される。従って可動縦框３３は縦枠側縦框３２と、召し合わせ框１２との間を見付方向に移動することができ、当該可動縦框３３の移動に追随して網材３１の伸縮がおこなわれる。また網材３１の上下端は横枠５、６の内側を該横枠５、６の長手方向に沿って移動することができるように構成されている。
【００２９】
次に、網材３１の収納（開口部が開放されている姿勢）から網材３１の伸展（開口部が網材３１により遮られる姿勢）までを順を追って説明する。図６は網材３１の収納時、図７は網材３１を途中まで伸展させた時、及び図８は網材３１の伸展時をそれぞれ表した水平断面図である。図６〜図８においては紙面下が室外側、紙面上が室内側を示し、内障子２０は開放の姿勢である。
【００３０】
網材３１の収納時では図６からわかるように、縦枠側縦框３２の片３２ｂ、３２ｃ、及び可動縦框３３の片３３ｂ、３３ｃがそれぞれ突き合わされるように配置されて１つの閉じた空間を形成する。当該空間の内側に折りたたまれた網材３１が収納される。これにより網材３１が露出せずに意匠性及び汚れの観点から効果を奏する。また、外召し合わせ框１２には、磁石１６の配置に伴う凹凸がなく、外観上は通常の召し合わせ框と同じなので意匠性を向上させることができる。
【００３１】
次に図６に示した姿勢から可動縦框３３を外召し合わせ框１２の方に移動させると図７のような姿勢とすることができる。すなわち可動縦框３３を移動させることにより縦枠側縦框３２と可動縦框３３との相対位置が変更され、網戸が露出される。網戸が露出されることにより害虫の侵入を防止することができるので、図７では網戸としての機能を発揮しつつある姿勢である。また、このとき可動縦框３３はその上下端部が横枠５、６の内側に配置されガイドされるので、操作者は特に外召し合わせ框１２を意識的に狙わなくても自然に可動縦框３３は召し合わせ框１２に向けて誘導される。
【００３２】
図７に示した姿勢からさらに網材３１を伸展させるべく可動縦框３３を外召し合わせ框１２に近づけ、可動縦框３３が外召し合わせ框１２に到達すると図８に示したように開口部は網戸３０により閉鎖される。このとき磁石１６と磁石３４とが吸引し、可動縦框３３が外召し合わせ框１２に安定して配置される。ここで、外召し合わせ框１２の磁石１６は上記したように片の厚さが薄く形成された１３ｂの部分に配置されているので、強い吸引力で磁石３４と吸引することが可能である。また、磁石１６、及び３４は外召し合わせ框１２及び可動縦框３３の長手方向（図８における紙面奥／手前方向）の概ね全長に亘って延在しているので、隙間を生じることなく吸引される。これにより適切に害虫の侵入を防止することができる。
【００３３】
網戸３０を収納する場合には上記手順を逆におこなえばよい。このように、本発明の開口部装置１では、可動縦框３３を容易に召し合わせ框１２に着脱させることができるので、利用者の好みで網戸の開閉をさせることができる。
【００３４】
以上説明した開口部装置では外障子１０は固定障子として説明したが必ずしもこれに限定される必要はなく、可動障子であってもよい。また、室内外側の関係も本実施形態に限定されることはなく、例えば図８において紙面上が室外側、紙面下が室内側であってもよい。
【００３５】
以上、現時点においてもっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３６】
【図１】１つの実施形態にかかる本発明の開口部装置の概略を示す室外側から見た斜視図である。
【図２】図１に示した開口部装置の室外視正面図である。
【図３】図２にＢ−Ｂで示した線に沿った水平断面図である。
【図４】外障子の召し合わせ框について説明するための図である。
【図５】網戸の断面図である。
【図６】網材が収納された姿勢における開口部装置の断面図である。
【図７】網材が途中まで伸展された姿勢における開口部装置の断面図である。
【図８】網戸の可動縦框が召し合わせ框に吸引され、開口部に網材が張られた姿勢における開口部装置に断面図である。
【符号の説明】
【００３７】
１  開口部装置
２  枠体
３  縦枠
４  縦枠
５  横枠
６  横枠
１０  外障子
１１  ガラスパネル
１２  召し合わせ框
１６  磁石
２０  内障子
３０  伸縮自在網戸
３１  網材
３２  縦枠側縦框
３３  可動縦框
３４  磁石
【図１】
2009030367.tif 000003
【図２】
2009030367.tif 000004
【図３】
2009030367.tif 000005
【図４】
2009030367.tif 000006
【図５】
2009030367.tif 000007
【図６】
2009030367.tif 000008
【図７】
2009030367.tif 000009
【図８】
2009030367.tif 000010